(57)【要約】【課題】本発明は調節可能な自撮り棒を開示した。【解決手段】挟みヘッド筐体を含み、前記吸盤が前記ネジスリーブの右側端面に固定的に取り付けられ、前記挟みチャンバの左側内壁にはネジ軸が回転できるように取り付けられ、第一モーターを始動し、第一モーターがラックを上下にスライド連動させ、スマホ又はカメラを入れた後、第一モーターが反転し、挟みブロックが吸盤と協働することによって、スマホ又はカメラをよりきつく挟むことができ、調節機構によって、挟みヘッドは押しボタンの制御の下で挟みヘッドの角度の調節を自動的に行うことができ、手持ち機構の中には信号発射器を設置して撮影の角度を制御調節し、自撮り棒には補助用の手持ち棒を設置することによって、手持ち棒の強度が強められ、自撮り棒が角度を調節できる三脚架に変えられることができ、撮影に便利である。【選択図】図１
2020181181.tif 000002
【特許請求の範囲】
【請求項１】
正面視で、挟みヘッド筐体を含み、前記挟みヘッド筐体の中にはスマホ又はカメラを固定する挟み機構が設置され、前記挟み機構は挟みブロックと、スマホ又はカメラを吸着する吸盤とを含み、前記挟みヘッド筐体の中にはまた調節機構が設置され、前記調節機構は挟みヘッドを振る第二モーターと回転つまみとを含み、前記調節機構の下側には手持ち機構が設置され、前記手持ち機構は手持ち棒と補助用手持ち棒とを含むことを特徴とする調節可能な自撮り棒。
【請求項２】
前記挟み機構はまた前記挟みヘッド筐体の中に設置された挟みチャンバを含み、前記挟みヘッド筐体の右側端面には吸盤溝が設置され、前記吸盤溝の左側内壁と前記挟みチャンバの右側内壁との間にはネジスリーブがスライドできるように取り付けられ、前記吸盤が前記ネジスリーブの右側端面に固定的に取り付けられ、前記挟みチャンバの左側内壁にはネジ軸が回転できるように取り付けられ、前記ネジ軸が前記ネジスリーブとネジ山によって取り付けられ、前記ネジ軸にはウォームホイールが固定的に取り付けられ、前記挟みチャンバの後側内壁の中には第一モーターが固定的に取り付けられ、前記第一モーターの前側の出力軸の端面にはウォーム軸が固定的に連結され、前記ウォーム軸には一部のウォームが設置され、前記ネジ軸が前記ウォームホイールと噛み合っており、前記挟みチャンバの上下内壁と前記挟みヘッド筐体の上下端面との間には連通している挟みスライド溝が上下対称的に設置され、前記挟みスライド溝の中にはラックがスライドできるように取り付けられ、前記ネジ軸のうち前記ウォームホイールの右側に位置しているところには第一ギヤが固定的に取り付けられ、前記第一ギヤが前記ラックと噛み合っており、前記挟みブロックが前記ラックの右側端面に上下対称的に、且つ固定的に取り付けられ、前記挟みブロックにはゴムカバーが固定的に取り付けられ、前記挟みチャンバの上側には制御器が固定的に取り付けられ、前記挟みチャンバの左側にはモーター電池が固定的に取り付けられていることを特徴とする請求項１に記載の調節可能な自撮り棒。
【請求項３】
前記調節機構は前記挟みヘッド筐体の前後端面に前後対称的に設置された調節溝を含み、前記第二モーターが前記挟みチャンバの下側に固定的に取り付けられ、前記第二モーターの前後の出力軸の端面には第二モーター軸が前後対称的に固定的に取り付けられ、前記モーター軸の片側端面には第二ギヤが固定的に取り付けられ、前記挟みヘッド筐体の前後端面には第一Ｕ字状支持ロッドが回転できるように取り付けられ、前記第一Ｕ字状支持ロッドの片側端面には固定ギヤが前後対称的に固定的に取り付けられ、前記固定ギヤが前記第二ギヤと噛み合っており、前記回転つまみが前記第一Ｕ字状支持ロッドに固定的に取り付けられ、前記回転つまみの下側には回転外殻が設置され、前記回転外殻の中には回転チャンバが設置され、前記回転チャンバが前記回転つまみと回転できるように取り付けられていることを特徴とする請求項１に記載の調節可能な自撮り棒。
【請求項４】
前記手持ち機構は前記回転外殻の前後端にヒンジで取り付けられた第二Ｕ字状支持ロッドを含み、前記第二Ｕ字状支持ロッドの右側端面には支持棒が固定的に取り付けられ、前記手持ち棒が前記支持棒の右側にスライドできるように取り付けられ、前記手持ち棒の中には発射器電池が固定的に取り付けられ、前記手持ち棒の中には発射器チャンバが設置され、前記発射器チャンバの中には発射器が固定的に取り付けられ、前記手持ち棒の頂壁と前記発射器チャンバとの間には撮影押しボタンがスライドできるように取り付けられ、前記手持ち棒のうち前記撮影押しボタンの右側に位置しているところには調節押しボタンが左右対称的にスライドできるように取り付けられ、前記調節押しボタンと前記発射器チャンバとが前記発射器を触発して作動させることができ、前記回転外殻の底部端面には補助ネジスリーブが固定的に取り付けられ、前記補助ネジスリーブには補助支持棒がネジ山によって取り付けられ、前記補助用手持ち棒が前記補助支持棒の底部末端にヒンジで連結され、前記補助用手持ち棒の中には補助用発射器が固定的に取り付けられ、前記補助用手持ち棒の右側端面には撮影補助押しボタンがスライドできるように取り付けられ、前記撮影補助押しボタンは前記補助用発射器を触発することができ、前記補助用手持ち棒の底部端面には三脚架がネジ山によって取り付けられていることを特徴とする請求項１に記載の調節可能な自撮り棒。
【発明の詳細な説明】
【技術分野】
【０００１】
本発明は撮影機材分野に関わり、具体的には調節可能な自撮り棒である。
【背景技術】
【０００２】
自撮り棒は撮影機材として、どこでも見られ、自撮り棒を使用する時にスマホを挟みヘッドに固定的に取り付ける必要があり、そして手で持って撮影し、しかし、今まで使用されている自撮り棒にスマホを挟むのは人によって大きな力を出す必要があり、自動的にスマホを調節して挟むことができなく、挟みヘッドの角度を調節するのも非常に不便で、写真を撮るのに影響を及ぼし、自撮り棒の手持ち棒は長く、強度が低く、従って、自動的には挟みヘッドの角度を調節できる自撮り棒が必要となり、それは手持ち棒の強度を強め、自撮り棒の機能を広げ、使用に便利を与える。
【先行技術文献】
【特許文献】
【０００３】
【特許文献１】中国特許出願公開第１０４７４７８８７号明細書
【発明の概要】
【発明が解決しようとする課題】
【０００４】
本発明は調節可能な自撮り棒を提供し、既存技術にある上記欠点を解消することを目的とする。
【課題を解決するための手段】
【０００５】
本発明の実施例の調節可能な自撮り棒は、挟みヘッド筐体を含み、前記挟みヘッド筐体の中にはスマホ又はカメラを固定する挟み機構が設置され、前記挟み機構は挟みブロックと、スマホ又はカメラを吸着する吸盤とを含み、前記挟みヘッド筐体の中にはまた調節機構が設置され、前記調節機構は挟みヘッドを振る第二モーターと回転つまみとを含み、前記調節機構の下側には手持ち機構が設置され、前記手持ち機構は手持ち棒と補助用手持ち棒とを含む。
【０００６】
さらなる技術プランとして、前記挟み機構はまた前記挟みヘッド筐体の中に設置された挟みチャンバを含み、前記挟みヘッド筐体の右側端面には吸盤溝が設置され、前記吸盤溝の左側内壁と前記挟みチャンバの右側内壁との間にはネジスリーブがスライドできるように取り付けられ、前記吸盤が前記ネジスリーブの右側端面に固定的に取り付けられ、前記挟みチャンバの左側内壁にはネジ軸が回転できるように取り付けられ、前記ネジ軸が前記ネジスリーブとネジ山によって取り付けられ、前記ネジ軸にはウォームホイールが固定的に取り付けられ、前記挟みチャンバの後側内壁の中には第一モーターが固定的に取り付けられ、前記第一モーターの前側の出力軸の端面にはウォーム軸が固定的に連結され、前記ウォーム軸には一部のウォームが設置され、前記ネジ軸が前記ウォームホイールと噛み合っており、前記挟みチャンバの上下内壁と前記挟みヘッド筐体の上下端面との間には連通している挟みスライド溝が上下対称的に設置され、前記挟みスライド溝の中にはラックがスライドできるように取り付けられ、前記ネジ軸のうち前記ウォームホイールの右側に位置しているところには第一ギヤが固定的に取り付けられ、前記第一ギヤが前記ラックと噛み合っており、前記挟みブロックが前記ラックの右側端面に上下対称的に、且つ固定的に取り付けられ、前記挟みブロックにはゴムカバーが固定的に取り付けられ、前記挟みチャンバの上側には制御器が固定的に取り付けられ、前記挟みチャンバの左側にはモーター電池が固定的に取り付けられている。
【０００７】
さらなる技術プランとして、前記調節機構は前記挟みヘッド筐体の前後端面に前後対称的に設置された調節溝を含み、前記第二モーターが前記挟みチャンバの下側に固定的に取り付けられ、前記第二モーターの前後の出力軸の端面には第二モーター軸が前後対称的に固定的に取り付けられ、前記モーター軸の片側端面には第二ギヤが固定的に取り付けられ、前記挟みヘッド筐体の前後端面には第一Ｕ字状支持ロッドが回転できるように取り付けられ、前記第一Ｕ字状支持ロッドの片側端面には固定ギヤが前後対称的に固定的に取り付けられ、前記固定ギヤが前記第二ギヤと噛み合っており、前記回転つまみが前記第一Ｕ字状支持ロッドに固定的に取り付けられ、前記回転つまみの下側には回転外殻が設置され、前記回転外殻の中には回転チャンバが設置され、前記回転チャンバが前記回転つまみと回転できるように取り付けられている。
【０００８】
さらなる技術プランとして、前記手持ち機構は前記回転外殻の前後端にヒンジで取り付けられた第二Ｕ字状支持ロッドを含み、前記第二Ｕ字状支持ロッドの右側端面には支持棒が固定的に取り付けられ、前記手持ち棒が前記支持棒の右側にスライドできるように取り付けられ、前記手持ち棒の中には発射器電池が固定的に取り付けられ、前記手持ち棒の中には発射器チャンバが設置され、前記発射器チャンバの中には発射器が固定的に取り付けられ、前記手持ち棒の頂壁と前記発射器チャンバとの間には撮影押しボタンがスライドできるように取り付けられ、前記手持ち棒のうち前記撮影押しボタンの右側に位置しているところには調節押しボタンが左右対称的にスライドできるように取り付けられ、前記調節押しボタンと前記発射器チャンバとが前記発射器を触発して作動させることができ、前記回転外殻の底部端面には補助ネジスリーブが固定的に取り付けられ、前記補助ネジスリーブには補助支持棒がネジ山によって取り付けられ、前記補助用手持ち棒が前記補助支持棒の底部末端にヒンジで連結され、前記補助用手持ち棒の中には補助用発射器が固定的に取り付けられ、前記補助用手持ち棒の右側端面には撮影補助押しボタンがスライドできるように取り付けられ、前記撮影補助押しボタンは前記補助用発射器を触発することができ、前記補助用手持ち棒の底部端面には三脚架がネジ山によって取り付けられている。
【発明の効果】
【０００９】
本発明の有益な効果は、本発明は構成が簡単で、操作が便利であり、挟み機構によって自撮り棒がスマホ又はカメラを自動的に制御して挟むことができ、人が力を出す必要はなく、挟みブロックが吸盤と協働することによって、スマホ又はカメラをよりきつく挟むことができ、調節機構によって、挟みヘッドは押しボタンの制御の下で挟みヘッドの角度の調節を自動的に行うことができ、手持ち機構の中には信号発射器を設置して撮影の角度を制御調節し、自撮り棒には補助用の手持ち棒を設置することによって、手持ち棒の強度が強められ、自撮り棒が角度を調節できる三脚架に変えられることができ、撮影に便利で、普及する価値がある。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成概略図
【図２】図２は図１の中のＡ―Ａ方向の断面構成概略図
【図３】図３は図１の中のＢ―Ｂ方向の断面構成概略図
【発明を実施するための形態】
【００１２】
図１〜３を参照し、本発明の実施例の調節可能な自撮り棒は、挟みヘッド筐体１８を含み、前記挟みヘッド筐体１８の中にはスマホ又はカメラを固定する挟み機構８００が設置され、前記挟み機構８００は挟みブロック１０と、スマホ又はカメラを吸着する吸盤１２とを含み、前記挟みヘッド筐体１８の中にはまた調節機構８０１が設置され、前記調節機構８０１は挟みヘッドを振る第二モーター４９と回転つまみ２９とを含み、前記調節機構８０１の下側には手持ち機構８０２が設置され、前記手持ち機構８０２は手持ち棒３９と補助用手持ち棒３４とを含む。
【００１３】
有益な又は例示のように、前記挟み機構８００はまた前記挟みヘッド筐体１８の中に設置された挟みチャンバ２２を含み、前記挟みヘッド筐体１８の右側端面には吸盤溝１３が設置され、前記吸盤溝１３の左側内壁と前記挟みチャンバ２２の右側内壁との間にはネジスリーブ１４がスライドできるように取り付けられ、前記吸盤１２が前記ネジスリーブ１４の右側端面に固定的に取り付けられ、前記挟みチャンバ２２の左側内壁にはネジ軸２５が回転できるように取り付けられ、前記ネジ軸２５が前記ネジスリーブ１４とネジ山によって取り付けられ、前記ネジ軸２５にはウォームホイール２６が固定的に取り付けられ、前記挟みチャンバ２２の後側内壁の中には第一モーター２１が固定的に取り付けられ、前記第一モーター２１の前側の出力軸の端面にはウォーム軸２４が固定的に連結され、前記ウォーム軸２４には一部のウォーム２３が設置され、前記ネジ軸２５が前記ウォームホイール２６と噛み合っており、前記挟みチャンバ２２の上下内壁と前記挟みヘッド筐体１８の上下端面との間には連通している挟みスライド溝１６が上下対称的に設置され、前記挟みスライド溝１６の中にはラック１７がスライドできるように取り付けられ、前記ネジ軸２５のうち前記ウォームホイール２６の右側に位置しているところには第一ギヤ２７が固定的に取り付けられ、前記第一ギヤ２７が前記ラック２７と噛み合っており、前記挟みブロック１０が前記ラック１７の右側端面に上下対称的に、且つ固定的に取り付けられ、前記挟みブロック１０にはゴムカバー１１が固定的に取り付けられ、前記挟みチャンバ２２の上側には制御器１９が固定的に取り付けられ、前記挟みチャンバ２２の左側にはモーター電池２０が固定的に取り付けられ、それによって第一モーター２１を始動し、第一モーター２１がウォーム２３を回転連動させ、ウォーム２３が回転してウォームホイール２６を回転連動させ、ウォームホイール２６が回転して第一ギヤ２７を回転連動させ、第一ギヤ２７が回転してラック１７を上下にスライド連動させ、スマホ又はカメラを入れた後、第一モーター２１が反転し、挟みブロック１０を連動させてスマホ又はカメラをきつく挟み、ウォームホイール２６とウォーム２３とが挟みブロック１０を連動させて自己ロックし、ネジ軸２５がネジスリーブ１４を連動させて吸盤１２にスマホ又はカメラを吸着させる。
【００１４】
有益な又は例示のように、前記調節機構８０１は前記挟みヘッド筐体１８の前後端面に前後対称的に設置された調節溝４６を含み、前記第二モーター４９が前記挟みチャンバ２２の下側に固定的に取り付けられ、前記第二モーター４９の前後の出力軸の端面には第二モーター軸４８が前後対称的に固定的に取り付けられ、前記モーター軸４８の片側端面には第二ギヤ４７が固定的に取り付けられ、前記挟みヘッド筐体１８の前後端面には第一Ｕ字状支持ロッド２８が回転できるように取り付けられ、前記第一Ｕ字状支持ロッド２８の片側端面には固定ギヤ４５が前後対称的に固定的に取り付けられ、前記固定ギヤ４５が前記第二ギヤ４７と噛み合っており、前記回転つまみ２９が前記第一Ｕ字状支持ロッド２８に固定的に取り付けられ、前記回転つまみ２９の下側には回転外殻３０が設置され、前記回転外殻３０の中には回転チャンバ３１が設置され、前記回転チャンバ３１が前記回転つまみ２９と回転できるように取り付けられ、それによって第二モーター４９を始動し、第二モーター４９が第二ギヤ４７を回転連動させ、第二ギヤ４７が回転して挟みヘッド筐体１８を連動させて回転調節を行い、手で回転つまみ２９を回し、それによって挟みヘッド全体が回転調節を行う。
【００１５】
有益な又は例示のように、前記手持ち機構８０２は前記回転外殻３０の前後端にヒンジで取り付けられた第二Ｕ字状支持ロッド３７を含み、前記第二Ｕ字状支持ロッド３７の右側端面には支持棒３８が固定的に取り付けられ、前記手持ち棒３９が前記支持棒３８の右側にスライドできるように取り付けられ、前記手持ち棒３９の中には発射器電池４４が固定的に取り付けられ、前記手持ち棒３９の中には発射器チャンバ４２が設置され、前記発射器チャンバ４２の中には発射器４３が固定的に取り付けられ、前記手持ち棒３９の頂壁と前記発射器チャンバ４２との間には撮影押しボタン４０がスライドできるように取り付けられ、前記手持ち棒３９のうち前記撮影押しボタン４０の右側に位置しているところには調節押しボタン４１が左右対称的にスライドできるように取り付けられ、前記調節押しボタン４１と前記発射器チャンバ４２とが前記発射器４３を触発して作動させることができ、前記回転外殻３０の底部端面には補助ネジスリーブ３２が固定的に取り付けられ、前記補助ネジスリーブ３２には補助支持棒３３がネジ山によって取り付けられ、前記補助用手持ち棒３４が前記補助支持棒３３の底部末端にヒンジで連結され、前記補助用手持ち棒３４の中には補助用発射器３５が固定的に取り付けられ、前記補助用手持ち棒３４の右側端面には撮影補助押しボタン３６がスライドできるように取り付けられ、前記撮影補助押しボタン３６は前記補助用発射器３５を触発することができ、前記補助用手持ち棒３４の底部端面には三脚架５０がネジ山によって取り付けられ、それによって撮影押しボタン４０を押して発射器４３を触発して撮影制御し、調節押しボタン４１を押して発射器４３を触発して撮影の角度を調節制御し、遠距離の撮影を行う時に補助用手持ち棒３４を取り付けることができる。
【００１６】
使用の時、自撮りをする時、調節押しボタン４１を押して発射器４３を触発し、発射器４３が信号を制御器１９に伝送し、制御器１９が受信した後、第一モーター２１を始動し、第一モーター２１がウォーム２３を回転連動させ、ウォーム２３が回転してウォームホイール２６を回転連動させ、ウォームホイール２６が回転して第一ギヤ２７を回転連動させ、第一ギヤ２７が回転してラック１７を上下にスライド連動させ、スマホ又はカメラを入れた後、調節押しボタン４１を押し、調節押しボタン４１が発射器４３を触発して信号を発射し、それによって制御器１９が第一モーター２１を制御して逆方向へ回転させ、挟みブロック１０を連動させてスマホ又はカメラをきつく挟み、ウォームホイール２６とウォーム２３が挟みブロック１０を連動させて自己ロックすることができ、ネジ軸２５がネジスリーブ１４を連動させて吸盤１２にスマホ又はカメラを吸着させ、制御器１９が第二モーター４９を制御して始動し、第二モーター４９が第二ギヤ４７を回転連動させ、第二ギヤ４７が回転して挟みヘッド筐体１８を連動させて回転調節を行い、手で回転つまみ２９を回し、それによって挟みヘッド全体が回転調節を行い、撮影押しボタン４０を押して発射器４３を触発して撮影制御し、遠距離の撮影を行う時に補助用手持ち棒３４を取り付けることができ、補助用手持ち棒３４が取り付けられた後、直接に三脚架として使用されることができ、撮影し終わった後、調節押しボタン４１を押し、それによって制御器１９が第一モーター２１を制御して挟みブロック１０を放し、吸盤１２がスマホ又はカメラへの吸着力がなくなり、スマホ又はカメラが取り出すことができる。
【００１７】
本発明の有益な効果は、本発明は構成が簡単で、操作が便利であり、挟み機構によって自撮り棒がスマホ又はカメラを自動的に制御して挟むことができ、人が力を出す必要はなく、挟みブロックが吸盤と協働することによって、スマホ又はカメラをよりきつく挟むことができ、調節機構によって、挟みヘッドは押しボタンの制御の下で挟みヘッドの角度の調節を自動的に行うことができ、手持ち機構の中には信号発射器を設置して撮影の角度を制御調節し、自撮り棒には補助用の手持ち棒を設置することによって、手持ち棒の強度が強められ、自撮り棒が角度を調節できる三脚架に変えられることができ、撮影に便利で、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020181181.tif 000003
【図２】
2020181181.tif 000004
【図３】
2020181181.tif 000005
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
正面視で、挟みヘッド筐体を含み、前記挟みヘッド筐体の中にはスマホ又はカメラを固定する挟み機構が設置され、前記挟み機構は挟みブロックと、スマホ又はカメラを吸着する吸盤とを含み、前記挟みヘッド筐体の中にはまた調節機構が設置され、前記調節機構は挟みヘッドを振る第二モーターと回転つまみとを含み、前記調節機構の下側には手持ち機構が設置され、前記手持ち機構は手持ち棒と補助用手持ち棒とを含み、
前記挟み機構はまた前記挟みヘッド筐体の中に設置された挟みチャンバを含み、前記挟みヘッド筐体の右側端面には吸盤溝が設置され、前記吸盤溝の左側内壁と前記挟みチャンバの右側内壁との間にはネジスリーブがスライドできるように取り付けられ、前記吸盤が前記ネジスリーブの右側端面に固定的に取り付けられ、前記挟みチャンバの左側内壁にはネジ軸が回転できるように取り付けられ、前記ネジ軸が前記ネジスリーブとネジ山によって取り付けられ、前記ネジ軸にはウォームホイールが固定的に取り付けられ、前記挟みチャンバの後側内壁の中には第一モーターが固定的に取り付けられ、前記第一モーターの前側の出力軸の端面にはウォーム軸が固定的に連結され、前記ウォーム軸には一部のウォームが設置され、前記ネジ軸が前記ウォームホイールと噛み合っており、前記挟みチャンバの上下内壁と前記挟みヘッド筐体の上下端面との間には連通している挟みスライド溝が上下対称的に設置され、前記挟みスライド溝の中にはラックがスライドできるように取り付けられ、前記ネジ軸のうち前記ウォームホイールの右側に位置しているところには第一ギヤが固定的に取り付けられ、前記第一ギヤが前記ラックと噛み合っており、前記挟みブロックが前記ラックの右側端面に上下対称的に、且つ固定的に取り付けられ、前記挟みブロックにはゴムカバーが固定的に取り付けられ、前記挟みチャンバの上側には制御器が固定的に取り付けられ、前記挟みチャンバの左側にはモーター電池が固定的に取り付けられ、
前記調節機構は前記挟みヘッド筐体の前後端面に前後対称的に設置された調節溝を含み、前記第二モーターが前記挟みチャンバの下側に固定的に取り付けられ、前記第二モーターの前後の出力軸の端面には第二モーター軸が前後対称的に固定的に取り付けられ、前記第二モーター軸の片側端面には第二ギヤが固定的に取り付けられ、前記挟みヘッド筐体の前後端面には第一Ｕ字状支持ロッドが回転できるように取り付けられ、前記第一Ｕ字状支持ロッドの片側端面には固定ギヤが前後対称的に固定的に取り付けられ、前記固定ギヤが前記第二ギヤと噛み合っており、前記回転つまみが前記第一Ｕ字状支持ロッドに固定的に取り付けられ、前記回転つまみの下側には回転外殻が設置され、前記回転外殻の中には回転チャンバが設置され、前記回転チャンバが前記回転つまみと回転できるように取り付けられ、
前記手持ち機構は前記回転外殻の前後端にヒンジで取り付けられた第二Ｕ字状支持ロッドを含み、前記第二Ｕ字状支持ロッドの右側端面には支持棒が固定的に取り付けられ、前記手持ち棒が前記支持棒の右側にスライドできるように取り付けられ、前記手持ち棒の中には発射器電池が固定的に取り付けられ、前記手持ち棒の中には発射器チャンバが設置され、前記発射器チャンバの中には発射器が固定的に取り付けられ、前記手持ち棒の頂壁と前記発射器チャンバとの間には撮影押しボタンがスライドできるように取り付けられ、前記手持ち棒のうち前記撮影押しボタンの右側に位置しているところには調節押しボタンが左右対称的にスライドできるように取り付けられ、前記調節押しボタンと前記発射器チャンバとが前記発射器を触発して作動させることができ、前記回転外殻の底部端面には補助ネジスリーブが固定的に取り付けられ、前記補助ネジスリーブには補助支持棒がネジ山によって取り付けられ、前記補助用手持ち棒が前記補助支持棒の底部末端にヒンジで連結され、前記補助用手持ち棒の中には補助用発射器が固定的に取り付けられ、前記補助用手持ち棒の右側端面には撮影補助押しボタンがスライドできるように取り付けられ、前記撮影補助押しボタンは前記補助用発射器を触発することができ、前記補助用手持ち棒の底部端面には三脚架がネジ山によって取り付けられていることを特徴とする調節可能な自撮り棒。
【手続補正２】
【補正対象書類名】明細書
【補正対象項目名】全文
【補正方法】変更
【補正の内容】
【発明の詳細な説明】
【技術分野】
【０００１】
本発明は撮影機材分野に関わり、具体的には調節可能な自撮り棒である。
【背景技術】
【０００２】
自撮り棒は撮影機材として、どこでも見られ、自撮り棒を使用する時にスマホを挟みヘッドに固定的に取り付ける必要があり、そして手で持って撮影し、しかし、今まで使用されている自撮り棒にスマホを挟むのは人によって大きな力を出す必要があり、自動的にスマホを調節して挟むことができなく、挟みヘッドの角度を調節するのも非常に不便で、写真を撮るのに影響を及ぼし、自撮り棒の手持ち棒は長く、強度が低く、従って、自動的には挟みヘッドの角度を調節できる自撮り棒が必要となり、それは手持ち棒の強度を強め、自撮り棒の機能を広げ、使用に便利を与える。
【先行技術文献】
【特許文献】
【０００３】
【特許文献１】中国特許出願公開第１０４７４７８８７号明細書
【発明の概要】
【発明が解決しようとする課題】
【０００４】
本発明は調節可能な自撮り棒を提供し、既存技術にある上記欠点を解消することを目的とする。
【課題を解決するための手段】
【０００５】
本発明の実施例の調節可能な自撮り棒は、挟みヘッド筐体を含み、前記挟みヘッド筐体の中にはスマホ又はカメラを固定する挟み機構が設置され、前記挟み機構は挟みブロックと、スマホ又はカメラを吸着する吸盤とを含み、前記挟みヘッド筐体の中にはまた調節機構が設置され、前記調節機構は挟みヘッドを振る第二モーターと回転つまみとを含み、前記調節機構の下側には手持ち機構が設置され、前記手持ち機構は手持ち棒と補助用手持ち棒とを含む。
【０００６】
さらなる技術プランとして、前記挟み機構はまた前記挟みヘッド筐体の中に設置された挟みチャンバを含み、前記挟みヘッド筐体の右側端面には吸盤溝が設置され、前記吸盤溝の左側内壁と前記挟みチャンバの右側内壁との間にはネジスリーブがスライドできるように取り付けられ、前記吸盤が前記ネジスリーブの右側端面に固定的に取り付けられ、前記挟みチャンバの左側内壁にはネジ軸が回転できるように取り付けられ、前記ネジ軸が前記ネジスリーブとネジ山によって取り付けられ、前記ネジ軸にはウォームホイールが固定的に取り付けられ、前記挟みチャンバの後側内壁の中には第一モーターが固定的に取り付けられ、前記第一モーターの前側の出力軸の端面にはウォーム軸が固定的に連結され、前記ウォーム軸には一部のウォームが設置され、前記ネジ軸が前記ウォームホイールと噛み合っており、前記挟みチャンバの上下内壁と前記挟みヘッド筐体の上下端面との間には連通している挟みスライド溝が上下対称的に設置され、前記挟みスライド溝の中にはラックがスライドできるように取り付けられ、前記ネジ軸のうち前記ウォームホイールの右側に位置しているところには第一ギヤが固定的に取り付けられ、前記第一ギヤが前記ラックと噛み合っており、前記挟みブロックが前記ラックの右側端面に上下対称的に、且つ固定的に取り付けられ、前記挟みブロックにはゴムカバーが固定的に取り付けられ、前記挟みチャンバの上側には制御器が固定的に取り付けられ、前記挟みチャンバの左側にはモーター電池が固定的に取り付けられている。
【０００７】
さらなる技術プランとして、前記調節機構は前記挟みヘッド筐体の前後端面に前後対称的に設置された調節溝を含み、前記第二モーターが前記挟みチャンバの下側に固定的に取り付けられ、前記第二モーターの前後の出力軸の端面には第二モーター軸が前後対称的に固定的に取り付けられ、前記第二モーター軸の片側端面には第二ギヤが固定的に取り付けられ、前記挟みヘッド筐体の前後端面には第一Ｕ字状支持ロッドが回転できるように取り付けられ、前記第一Ｕ字状支持ロッドの片側端面には固定ギヤが前後対称的に固定的に取り付けられ、前記固定ギヤが前記第二ギヤと噛み合っており、前記回転つまみが前記第一Ｕ字状支持ロッドに固定的に取り付けられ、前記回転つまみの下側には回転外殻が設置され、前記回転外殻の中には回転チャンバが設置され、前記回転チャンバが前記回転つまみと回転できるように取り付けられている。
【０００８】
さらなる技術プランとして、前記手持ち機構は前記回転外殻の前後端にヒンジで取り付けられた第二Ｕ字状支持ロッドを含み、前記第二Ｕ字状支持ロッドの右側端面には支持棒が固定的に取り付けられ、前記手持ち棒が前記支持棒の右側にスライドできるように取り付けられ、前記手持ち棒の中には発射器電池が固定的に取り付けられ、前記手持ち棒の中には発射器チャンバが設置され、前記発射器チャンバの中には発射器が固定的に取り付けられ、前記手持ち棒の頂壁と前記発射器チャンバとの間には撮影押しボタンがスライドできるように取り付けられ、前記手持ち棒のうち前記撮影押しボタンの右側に位置しているところには調節押しボタンが左右対称的にスライドできるように取り付けられ、前記調節押しボタンと前記発射器チャンバとが前記発射器を触発して作動させることができ、前記回転外殻の底部端面には補助ネジスリーブが固定的に取り付けられ、前記補助ネジスリーブには補助支持棒がネジ山によって取り付けられ、前記補助用手持ち棒が前記補助支持棒の底部末端にヒンジで連結され、前記補助用手持ち棒の中には補助用発射器が固定的に取り付けられ、前記補助用手持ち棒の右側端面には撮影補助押しボタンがスライドできるように取り付けられ、前記撮影補助押しボタンは前記補助用発射器を触発することができ、前記補助用手持ち棒の底部端面には三脚架がネジ山によって取り付けられている。
【発明の効果】
【０００９】
本発明の有益な効果は、本発明は構成が簡単で、操作が便利であり、挟み機構によって自撮り棒がスマホ又はカメラを自動的に制御して挟むことができ、人が力を出す必要はなく、挟みブロックが吸盤と協働することによって、スマホ又はカメラをよりきつく挟むことができ、調節機構によって、挟みヘッドは押しボタンの制御の下で挟みヘッドの角度の調節を自動的に行うことができ、手持ち機構の中には信号発射器を設置して撮影の角度を制御調節し、自撮り棒には補助用の手持ち棒を設置することによって、手持ち棒の強度が強められ、自撮り棒が角度を調節できる三脚架に変えられることができ、撮影に便利で、普及する価値がある。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成概略図
【図２】図２は図１の中のＡ―Ａ方向の断面構成概略図
【図３】図３は図１の中のＢ―Ｂ方向の断面構成概略図
【発明を実施するための形態】
【００１２】
図１〜３を参照し、本発明の実施例の調節可能な自撮り棒は、挟みヘッド筐体１８を含み、前記挟みヘッド筐体１８の中にはスマホ又はカメラを固定する挟み機構８００が設置され、前記挟み機構８００は挟みブロック１０と、スマホ又はカメラを吸着する吸盤１２とを含み、前記挟みヘッド筐体１８の中にはまた調節機構８０１が設置され、前記調節機構８０１は挟みヘッドを振る第二モーター４９と回転つまみ２９とを含み、前記調節機構８０１の下側には手持ち機構８０２が設置され、前記手持ち機構８０２は手持ち棒３９と補助用手持ち棒３４とを含む。
【００１３】
有益な又は例示のように、前記挟み機構８００はまた前記挟みヘッド筐体１８の中に設置された挟みチャンバ２２を含み、前記挟みヘッド筐体１８の右側端面には吸盤溝１３が設置され、前記吸盤溝１３の左側内壁と前記挟みチャンバ２２の右側内壁との間にはネジスリーブ１４がスライドできるように取り付けられ、前記吸盤１２が前記ネジスリーブ１４の右側端面に固定的に取り付けられ、前記挟みチャンバ２２の左側内壁にはネジ軸２５が回転できるように取り付けられ、前記ネジ軸２５が前記ネジスリーブ１４とネジ山によって取り付けられ、前記ネジ軸２５にはウォームホイール２６が固定的に取り付けられ、前記挟みチャンバ２２の後側内壁の中には第一モーター２１が固定的に取り付けられ、前記第一モーター２１の前側の出力軸の端面にはウォーム軸２４が固定的に連結され、前記ウォーム軸２４には一部のウォーム２３が設置され、前記ネジ軸２５が前記ウォームホイール２６と噛み合っており、前記挟みチャンバ２２の上下内壁と前記挟みヘッド筐体１８の上下端面との間には連通している挟みスライド溝１６が上下対称的に設置され、前記挟みスライド溝１６の中にはラック１７がスライドできるように取り付けられ、前記ネジ軸２５のうち前記ウォームホイール２６の右側に位置しているところには第一ギヤ２７が固定的に取り付けられ、前記第一ギヤ２７が前記ラック２７と噛み合っており、前記挟みブロック１０が前記ラック１７の右側端面に上下対称的に、且つ固定的に取り付けられ、前記挟みブロック１０にはゴムカバー１１が固定的に取り付けられ、前記挟みチャンバ２２の上側には制御器１９が固定的に取り付けられ、前記挟みチャンバ２２の左側にはモーター電池２０が固定的に取り付けられ、それによって第一モーター２１を始動し、第一モーター２１がウォーム２３を回転連動させ、ウォーム２３が回転してウォームホイール２６を回転連動させ、ウォームホイール２６が回転して第一ギヤ２７を回転連動させ、第一ギヤ２７が回転してラック１７を上下にスライド連動させ、スマホ又はカメラを入れた後、第一モーター２１が反転し、挟みブロック１０を連動させてスマホ又はカメラをきつく挟み、ウォームホイール２６とウォーム２３とが挟みブロック１０を連動させて自己ロックし、ネジ軸２５がネジスリーブ１４を連動させて吸盤１２にスマホ又はカメラを吸着させる。
【００１４】
有益な又は例示のように、前記調節機構８０１は前記挟みヘッド筐体１８の前後端面に前後対称的に設置された調節溝４６を含み、前記第二モーター４９が前記挟みチャンバ２２の下側に固定的に取り付けられ、前記第二モーター４９の前後の出力軸の端面には第二モーター軸４８が前後対称的に固定的に取り付けられ、前記第二モーター軸４８の片側端面には第二ギヤ４７が固定的に取り付けられ、前記挟みヘッド筐体１８の前後端面には第一Ｕ字状支持ロッド２８が回転できるように取り付けられ、前記第一Ｕ字状支持ロッド２８の片側端面には固定ギヤ４５が前後対称的に固定的に取り付けられ、前記固定ギヤ４５が前記第二ギヤ４７と噛み合っており、前記回転つまみ２９が前記第一Ｕ字状支持ロッド２８に固定的に取り付けられ、前記回転つまみ２９の下側には回転外殻３０が設置され、前記回転外殻３０の中には回転チャンバ３１が設置され、前記回転チャンバ３１が前記回転つまみ２９と回転できるように取り付けられ、それによって第二モーター４９を始動し、第二モーター４９が第二ギヤ４７を回転連動させ、第二ギヤ４７が回転して挟みヘッド筐体１８を連動させて回転調節を行い、手で回転つまみ２９を回し、それによって挟みヘッド全体が回転調節を行う。
【００１５】
有益な又は例示のように、前記手持ち機構８０２は前記回転外殻３０の前後端にヒンジで取り付けられた第二Ｕ字状支持ロッド３７を含み、前記第二Ｕ字状支持ロッド３７の右側端面には支持棒３８が固定的に取り付けられ、前記手持ち棒３９が前記支持棒３８の右側にスライドできるように取り付けられ、前記手持ち棒３９の中には発射器電池４４が固定的に取り付けられ、前記手持ち棒３９の中には発射器チャンバ４２が設置され、前記発射器チャンバ４２の中には発射器４３が固定的に取り付けられ、前記手持ち棒３９の頂壁と前記発射器チャンバ４２との間には撮影押しボタン４０がスライドできるように取り付けられ、前記手持ち棒３９のうち前記撮影押しボタン４０の右側に位置しているところには調節押しボタン４１が左右対称的にスライドできるように取り付けられ、前記調節押しボタン４１と前記発射器チャンバ４２とが前記発射器４３を触発して作動させることができ、前記回転外殻３０の底部端面には補助ネジスリーブ３２が固定的に取り付けられ、前記補助ネジスリーブ３２には補助支持棒３３がネジ山によって取り付けられ、前記補助用手持ち棒３４が前記補助支持棒３３の底部末端にヒンジで連結され、前記補助用手持ち棒３４の中には補助用発射器３５が固定的に取り付けられ、前記補助用手持ち棒３４の右側端面には撮影補助押しボタン３６がスライドできるように取り付けられ、前記撮影補助押しボタン３６は前記補助用発射器３５を触発することができ、前記補助用手持ち棒３４の底部端面には三脚架５０がネジ山によって取り付けられ、それによって撮影押しボタン４０を押して発射器４３を触発して撮影制御し、調節押しボタン４１を押して発射器４３を触発して撮影の角度を調節制御し、遠距離の撮影を行う時に補助用手持ち棒３４を取り付けることができる。
【００１６】
使用の時、自撮りをする時、調節押しボタン４１を押して発射器４３を触発し、発射器４３が信号を制御器１９に伝送し、制御器１９が受信した後、第一モーター２１を始動し、第一モーター２１がウォーム２３を回転連動させ、ウォーム２３が回転してウォームホイール２６を回転連動させ、ウォームホイール２６が回転して第一ギヤ２７を回転連動させ、第一ギヤ２７が回転してラック１７を上下にスライド連動させ、スマホ又はカメラを入れた後、調節押しボタン４１を押し、調節押しボタン４１が発射器４３を触発して信号を発射し、それによって制御器１９が第一モーター２１を制御して逆方向へ回転させ、挟みブロック１０を連動させてスマホ又はカメラをきつく挟み、ウォームホイール２６とウォーム２３が挟みブロック１０を連動させて自己ロックすることができ、ネジ軸２５がネジスリーブ１４を連動させて吸盤１２にスマホ又はカメラを吸着させ、制御器１９が第二モーター４９を制御して始動し、第二モーター４９が第二ギヤ４７を回転連動させ、第二ギヤ４７が回転して挟みヘッド筐体１８を連動させて回転調節を行い、手で回転つまみ２９を回し、それによって挟みヘッド全体が回転調節を行い、撮影押しボタン４０を押して発射器４３を触発して撮影制御し、遠距離の撮影を行う時に補助用手持ち棒３４を取り付けることができ、補助用手持ち棒３４が取り付けられた後、直接に三脚架として使用されることができ、撮影し終わった後、調節押しボタン４１を押し、それによって制御器１９が第一モーター２１を制御して挟みブロック１０を放し、吸盤１２がスマホ又はカメラへの吸着力がなくなり、スマホ又はカメラが取り出すことができる。
【００１７】
本発明の有益な効果は、本発明は構成が簡単で、操作が便利であり、挟み機構によって自撮り棒がスマホ又はカメラを自動的に制御して挟むことができ、人が力を出す必要はなく、挟みブロックが吸盤と協働することによって、スマホ又はカメラをよりきつく挟むことができ、調節機構によって、挟みヘッドは押しボタンの制御の下で挟みヘッドの角度の調節を自動的に行うことができ、手持ち機構の中には信号発射器を設置して撮影の角度を制御調節し、自撮り棒には補助用の手持ち棒を設置することによって、手持ち棒の強度が強められ、自撮り棒が角度を調節できる三脚架に変えられることができ、撮影に便利で、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和1年10月22日(2019.10.22)
【手続補正１】
【補正対象書類名】特許請求の範囲
【補正対象項目名】全文
【補正方法】変更
【補正の内容】
【特許請求の範囲】
【請求項１】
正面視で、挟みヘッド筐体を含み、前記挟みヘッド筐体の中にはスマホ又はカメラを固定する挟み機構が設置され、前記挟み機構は挟みブロックと、スマホ又はカメラを吸着する吸盤とを含み、前記挟みヘッド筐体の中にはまた調節機構が設置され、前記調節機構は挟みヘッドを振る第二モーターと回転つまみとを含み、前記調節機構の下側には手持ち機構が設置され、前記手持ち機構は手持ち棒と補助用手持ち棒とを含み、
前記挟み機構はまた前記挟みヘッド筐体の中に設置された挟みチャンバを含み、前記挟みヘッド筐体の右側端面には吸盤溝が設置され、前記吸盤溝の左側内壁と前記挟みチャンバの右側内壁との間にはネジスリーブがスライドできるように取り付けられ、前記吸盤が前記ネジスリーブの右側端面に固定的に取り付けられ、前記挟みチャンバの左側内壁にはネジ軸が回転できるように取り付けられ、前記ネジ軸が前記ネジスリーブとネジ山によって取り付けられ、前記ネジ軸にはウォームホイールが固定的に取り付けられ、前記挟みチャンバの後側内壁の中には第一モーターが固定的に取り付けられ、前記第一モーターの前側の出力軸の端面にはウォーム軸が固定的に連結され、前記ウォーム軸には一部のウォームが設置され、前記ネジ軸が前記ウォームホイールと噛み合っており、前記挟みチャンバの上下内壁と前記挟みヘッド筐体の上下端面との間には連通している挟みスライド溝が上下対称的に設置され、前記挟みスライド溝の中にはラックがスライドできるように取り付けられ、前記ネジ軸のうち前記ウォームホイールの右側に位置しているところには第一ギヤが固定的に取り付けられ、前記第一ギヤが前記ラックと噛み合っており、前記挟みブロックが前記ラックの右側端面に上下対称的に、且つ固定的に取り付けられ、前記挟みブロックにはゴムカバーが固定的に取り付けられ、前記挟みチャンバの上側には制御器が固定的に取り付けられ、前記挟みチャンバの左側にはモーター電池が固定的に取り付けられ、
前記調節機構は前記挟みヘッド筐体の前後端面に前後対称的に設置された調節溝を含み、前記第二モーターが前記挟みチャンバの下側に固定的に取り付けられ、前記第二モーターの前後の出力軸の端面には第二モーター軸が前後対称的に固定的に取り付けられ、前記第二モーター軸の片側端面には第二ギヤが固定的に取り付けられ、前記挟みヘッド筐体の前後端面には第一Ｕ字状支持ロッドが回転できるように取り付けられ、前記第一Ｕ字状支持ロッドの片側端面には固定ギヤが前後対称的に固定的に取り付けられ、前記固定ギヤが前記第二ギヤと噛み合っており、前記回転つまみが前記第一Ｕ字状支持ロッドに固定的に取り付けられ、前記回転つまみの下側には回転外殻が設置され、前記回転外殻の中には回転チャンバが設置され、前記回転チャンバが前記回転つまみと回転できるように取り付けられ、
前記手持ち機構は前記回転外殻の前後端にヒンジで取り付けられた第二Ｕ字状支持ロッドを含み、前記第二Ｕ字状支持ロッドの右側端面には支持棒が固定的に取り付けられ、前記手持ち棒が前記支持棒の右側にスライドできるように取り付けられ、前記手持ち棒の中には発射器電池が固定的に取り付けられ、前記手持ち棒の中には発射器チャンバが設置され、前記発射器チャンバの中には発射器が固定的に取り付けられ、前記手持ち棒の頂壁と前記発射器チャンバとの間には撮影押しボタンがスライドできるように取り付けられ、前記手持ち棒のうち前記撮影押しボタンの右側に位置しているところには調節押しボタンが左右対称的にスライドできるように取り付けられ、前記調節押しボタンと前記発射器チャンバとが前記発射器を触発して作動させることができ、前記回転外殻の底部端面には補助ネジスリーブが固定的に取り付けられ、前記補助ネジスリーブには補助支持棒がネジ山によって取り付けられ、前記補助用手持ち棒が前記補助支持棒の底部末端にヒンジで連結され、前記補助用手持ち棒の中には補助用発射器が固定的に取り付けられ、前記補助用手持ち棒の右側端面には撮影補助押しボタンがスライドできるように取り付けられ、前記撮影補助押しボタンは前記補助用発射器を触発することができ、前記補助用手持ち棒の底部端面には三脚架がネジ山によって取り付けられていることを特徴とする調節可能な自撮り棒。
【手続補正２】
【補正対象書類名】明細書
【補正対象項目名】全文
【補正方法】変更
【補正の内容】
【発明の詳細な説明】
【技術分野】
【０００１】
本発明は撮影機材分野に関わり、具体的には調節可能な自撮り棒である。
【背景技術】
【０００２】
自撮り棒は撮影機材として、どこでも見られ、自撮り棒を使用する時にスマホを挟みヘッドに固定的に取り付ける必要があり、そして手で持って撮影し、しかし、今まで使用されている自撮り棒にスマホを挟むのは人によって大きな力を出す必要があり、自動的にスマホを調節して挟むことができなく、挟みヘッドの角度を調節するのも非常に不便で、写真を撮るのに影響を及ぼし、自撮り棒の手持ち棒は長く、強度が低く、従って、自動的には挟みヘッドの角度を調節できる自撮り棒が必要となり、それは手持ち棒の強度を強め、自撮り棒の機能を広げ、使用に便利を与える。
【先行技術文献】
【特許文献】
【０００３】
【特許文献１】中国特許出願公開第１０４７４７８８７号明細書
【発明の概要】
【発明が解決しようとする課題】
【０００４】
本発明は調節可能な自撮り棒を提供し、既存技術にある上記欠点を解消することを目的とする。
【課題を解決するための手段】
【０００５】
本発明の実施例の調節可能な自撮り棒は、挟みヘッド筐体を含み、前記挟みヘッド筐体の中にはスマホ又はカメラを固定する挟み機構が設置され、前記挟み機構は挟みブロックと、スマホ又はカメラを吸着する吸盤とを含み、前記挟みヘッド筐体の中にはまた調節機構が設置され、前記調節機構は挟みヘッドを振る第二モーターと回転つまみとを含み、前記調節機構の下側には手持ち機構が設置され、前記手持ち機構は手持ち棒と補助用手持ち棒とを含む。
【０００６】
さらなる技術プランとして、前記挟み機構はまた前記挟みヘッド筐体の中に設置された挟みチャンバを含み、前記挟みヘッド筐体の右側端面には吸盤溝が設置され、前記吸盤溝の左側内壁と前記挟みチャンバの右側内壁との間にはネジスリーブがスライドできるように取り付けられ、前記吸盤が前記ネジスリーブの右側端面に固定的に取り付けられ、前記挟みチャンバの左側内壁にはネジ軸が回転できるように取り付けられ、前記ネジ軸が前記ネジスリーブとネジ山によって取り付けられ、前記ネジ軸にはウォームホイールが固定的に取り付けられ、前記挟みチャンバの後側内壁の中には第一モーターが固定的に取り付けられ、前記第一モーターの前側の出力軸の端面にはウォーム軸が固定的に連結され、前記ウォーム軸には一部のウォームが設置され、前記ネジ軸が前記ウォームホイールと噛み合っており、前記挟みチャンバの上下内壁と前記挟みヘッド筐体の上下端面との間には連通している挟みスライド溝が上下対称的に設置され、前記挟みスライド溝の中にはラックがスライドできるように取り付けられ、前記ネジ軸のうち前記ウォームホイールの右側に位置しているところには第一ギヤが固定的に取り付けられ、前記第一ギヤが前記ラックと噛み合っており、前記挟みブロックが前記ラックの右側端面に上下対称的に、且つ固定的に取り付けられ、前記挟みブロックにはゴムカバーが固定的に取り付けられ、前記挟みチャンバの上側には制御器が固定的に取り付けられ、前記挟みチャンバの左側にはモーター電池が固定的に取り付けられている。
【０００７】
さらなる技術プランとして、前記調節機構は前記挟みヘッド筐体の前後端面に前後対称的に設置された調節溝を含み、前記第二モーターが前記挟みチャンバの下側に固定的に取り付けられ、前記第二モーターの前後の出力軸の端面には第二モーター軸が前後対称的に固定的に取り付けられ、前記第二モーター軸の片側端面には第二ギヤが固定的に取り付けられ、前記挟みヘッド筐体の前後端面には第一Ｕ字状支持ロッドが回転できるように取り付けられ、前記第一Ｕ字状支持ロッドの片側端面には固定ギヤが前後対称的に固定的に取り付けられ、前記固定ギヤが前記第二ギヤと噛み合っており、前記回転つまみが前記第一Ｕ字状支持ロッドに固定的に取り付けられ、前記回転つまみの下側には回転外殻が設置され、前記回転外殻の中には回転チャンバが設置され、前記回転チャンバが前記回転つまみと回転できるように取り付けられている。
【０００８】
さらなる技術プランとして、前記手持ち機構は前記回転外殻の前後端にヒンジで取り付けられた第二Ｕ字状支持ロッドを含み、前記第二Ｕ字状支持ロッドの右側端面には支持棒が固定的に取り付けられ、前記手持ち棒が前記支持棒の右側にスライドできるように取り付けられ、前記手持ち棒の中には発射器電池が固定的に取り付けられ、前記手持ち棒の中には発射器チャンバが設置され、前記発射器チャンバの中には発射器が固定的に取り付けられ、前記手持ち棒の頂壁と前記発射器チャンバとの間には撮影押しボタンがスライドできるように取り付けられ、前記手持ち棒のうち前記撮影押しボタンの右側に位置しているところには調節押しボタンが左右対称的にスライドできるように取り付けられ、前記調節押しボタンと前記発射器チャンバとが前記発射器を触発して作動させることができ、前記回転外殻の底部端面には補助ネジスリーブが固定的に取り付けられ、前記補助ネジスリーブには補助支持棒がネジ山によって取り付けられ、前記補助用手持ち棒が前記補助支持棒の底部末端にヒンジで連結され、前記補助用手持ち棒の中には補助用発射器が固定的に取り付けられ、前記補助用手持ち棒の右側端面には撮影補助押しボタンがスライドできるように取り付けられ、前記撮影補助押しボタンは前記補助用発射器を触発することができ、前記補助用手持ち棒の底部端面には三脚架がネジ山によって取り付けられている。
【発明の効果】
【０００９】
本発明の有益な効果は、本発明は構成が簡単で、操作が便利であり、挟み機構によって自撮り棒がスマホ又はカメラを自動的に制御して挟むことができ、人が力を出す必要はなく、挟みブロックが吸盤と協働することによって、スマホ又はカメラをよりきつく挟むことができ、調節機構によって、挟みヘッドは押しボタンの制御の下で挟みヘッドの角度の調節を自動的に行うことができ、手持ち機構の中には信号発射器を設置して撮影の角度を制御調節し、自撮り棒には補助用の手持ち棒を設置することによって、手持ち棒の強度が強められ、自撮り棒が角度を調節できる三脚架に変えられることができ、撮影に便利で、普及する価値がある。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成概略図
【図２】図２は図１の中のＡ―Ａ方向の断面構成概略図
【図３】図３は図１の中のＢ―Ｂ方向の断面構成概略図
【発明を実施するための形態】
【００１２】
図１〜３を参照し、本発明の実施例の調節可能な自撮り棒は、挟みヘッド筐体１８を含み、前記挟みヘッド筐体１８の中にはスマホ又はカメラを固定する挟み機構８００が設置され、前記挟み機構８００は挟みブロック１０と、スマホ又はカメラを吸着する吸盤１２とを含み、前記挟みヘッド筐体１８の中にはまた調節機構８０１が設置され、前記調節機構８０１は挟みヘッドを振る第二モーター４９と回転つまみ２９とを含み、前記調節機構８０１の下側には手持ち機構８０２が設置され、前記手持ち機構８０２は手持ち棒３９と補助用手持ち棒３４とを含む。
【００１３】
有益な又は例示のように、前記挟み機構８００はまた前記挟みヘッド筐体１８の中に設置された挟みチャンバ２２を含み、前記挟みヘッド筐体１８の右側端面には吸盤溝１３が設置され、前記吸盤溝１３の左側内壁と前記挟みチャンバ２２の右側内壁との間にはネジスリーブ１４がスライドできるように取り付けられ、前記吸盤１２が前記ネジスリーブ１４の右側端面に固定的に取り付けられ、前記挟みチャンバ２２の左側内壁にはネジ軸２５が回転できるように取り付けられ、前記ネジ軸２５が前記ネジスリーブ１４とネジ山によって取り付けられ、前記ネジ軸２５にはウォームホイール２６が固定的に取り付けられ、前記挟みチャンバ２２の後側内壁の中には第一モーター２１が固定的に取り付けられ、前記第一モーター２１の前側の出力軸の端面にはウォーム軸２４が固定的に連結され、前記ウォーム軸２４には一部のウォーム２３が設置され、前記ネジ軸２５が前記ウォームホイール２６と噛み合っており、前記挟みチャンバ２２の上下内壁と前記挟みヘッド筐体１８の上下端面との間には連通している挟みスライド溝１６が上下対称的に設置され、前記挟みスライド溝１６の中にはラック１７がスライドできるように取り付けられ、前記ネジ軸２５のうち前記ウォームホイール２６の右側に位置しているところには第一ギヤ２７が固定的に取り付けられ、前記第一ギヤ２７が前記ラック２７と噛み合っており、前記挟みブロック１０が前記ラック１７の右側端面に上下対称的に、且つ固定的に取り付けられ、前記挟みブロック１０にはゴムカバー１１が固定的に取り付けられ、前記挟みチャンバ２２の上側には制御器１９が固定的に取り付けられ、前記挟みチャンバ２２の左側にはモーター電池２０が固定的に取り付けられ、それによって第一モーター２１を始動し、第一モーター２１がウォーム２３を回転連動させ、ウォーム２３が回転してウォームホイール２６を回転連動させ、ウォームホイール２６が回転して第一ギヤ２７を回転連動させ、第一ギヤ２７が回転してラック１７を上下にスライド連動させ、スマホ又はカメラを入れた後、第一モーター２１が反転し、挟みブロック１０を連動させてスマホ又はカメラをきつく挟み、ウォームホイール２６とウォーム２３とが挟みブロック１０を連動させて自己ロックし、ネジ軸２５がネジスリーブ１４を連動させて吸盤１２にスマホ又はカメラを吸着させる。
【００１４】
有益な又は例示のように、前記調節機構８０１は前記挟みヘッド筐体１８の前後端面に前後対称的に設置された調節溝４６を含み、前記第二モーター４９が前記挟みチャンバ２２の下側に固定的に取り付けられ、前記第二モーター４９の前後の出力軸の端面には第二モーター軸４８が前後対称的に固定的に取り付けられ、前記第二モーター軸４８の片側端面には第二ギヤ４７が固定的に取り付けられ、前記挟みヘッド筐体１８の前後端面には第一Ｕ字状支持ロッド２８が回転できるように取り付けられ、前記第一Ｕ字状支持ロッド２８の片側端面には固定ギヤ４５が前後対称的に固定的に取り付けられ、前記固定ギヤ４５が前記第二ギヤ４７と噛み合っており、前記回転つまみ２９が前記第一Ｕ字状支持ロッド２８に固定的に取り付けられ、前記回転つまみ２９の下側には回転外殻３０が設置され、前記回転外殻３０の中には回転チャンバ３１が設置され、前記回転チャンバ３１が前記回転つまみ２９と回転できるように取り付けられ、それによって第二モーター４９を始動し、第二モーター４９が第二ギヤ４７を回転連動させ、第二ギヤ４７が回転して挟みヘッド筐体１８を連動させて回転調節を行い、手で回転つまみ２９を回し、それによって挟みヘッド全体が回転調節を行う。
【００１５】
有益な又は例示のように、前記手持ち機構８０２は前記回転外殻３０の前後端にヒンジで取り付けられた第二Ｕ字状支持ロッド３７を含み、前記第二Ｕ字状支持ロッド３７の右側端面には支持棒３８が固定的に取り付けられ、前記手持ち棒３９が前記支持棒３８の右側にスライドできるように取り付けられ、前記手持ち棒３９の中には発射器電池４４が固定的に取り付けられ、前記手持ち棒３９の中には発射器チャンバ４２が設置され、前記発射器チャンバ４２の中には発射器４３が固定的に取り付けられ、前記手持ち棒３９の頂壁と前記発射器チャンバ４２との間には撮影押しボタン４０がスライドできるように取り付けられ、前記手持ち棒３９のうち前記撮影押しボタン４０の右側に位置しているところには調節押しボタン４１が左右対称的にスライドできるように取り付けられ、前記調節押しボタン４１と前記発射器チャンバ４２とが前記発射器４３を触発して作動させることができ、前記回転外殻３０の底部端面には補助ネジスリーブ３２が固定的に取り付けられ、前記補助ネジスリーブ３２には補助支持棒３３がネジ山によって取り付けられ、前記補助用手持ち棒３４が前記補助支持棒３３の底部末端にヒンジで連結され、前記補助用手持ち棒３４の中には補助用発射器３５が固定的に取り付けられ、前記補助用手持ち棒３４の右側端面には撮影補助押しボタン３６がスライドできるように取り付けられ、前記撮影補助押しボタン３６は前記補助用発射器３５を触発することができ、前記補助用手持ち棒３４の底部端面には三脚架５０がネジ山によって取り付けられ、それによって撮影押しボタン４０を押して発射器４３を触発して撮影制御し、調節押しボタン４１を押して発射器４３を触発して撮影の角度を調節制御し、遠距離の撮影を行う時に補助用手持ち棒３４を取り付けることができる。
【００１６】
使用の時、自撮りをする時、調節押しボタン４１を押して発射器４３を触発し、発射器４３が信号を制御器１９に伝送し、制御器１９が受信した後、第一モーター２１を始動し、第一モーター２１がウォーム２３を回転連動させ、ウォーム２３が回転してウォームホイール２６を回転連動させ、ウォームホイール２６が回転して第一ギヤ２７を回転連動させ、第一ギヤ２７が回転してラック１７を上下にスライド連動させ、スマホ又はカメラを入れた後、調節押しボタン４１を押し、調節押しボタン４１が発射器４３を触発して信号を発射し、それによって制御器１９が第一モーター２１を制御して逆方向へ回転させ、挟みブロック１０を連動させてスマホ又はカメラをきつく挟み、ウォームホイール２６とウォーム２３が挟みブロック１０を連動させて自己ロックすることができ、ネジ軸２５がネジスリーブ１４を連動させて吸盤１２にスマホ又はカメラを吸着させ、制御器１９が第二モーター４９を制御して始動し、第二モーター４９が第二ギヤ４７を回転連動させ、第二ギヤ４７が回転して挟みヘッド筐体１８を連動させて回転調節を行い、手で回転つまみ２９を回し、それによって挟みヘッド全体が回転調節を行い、撮影押しボタン４０を押して発射器４３を触発して撮影制御し、遠距離の撮影を行う時に補助用手持ち棒３４を取り付けることができ、補助用手持ち棒３４が取り付けられた後、直接に三脚架として使用されることができ、撮影し終わった後、調節押しボタン４１を押し、それによって制御器１９が第一モーター２１を制御して挟みブロック１０を放し、吸盤１２がスマホ又はカメラへの吸着力がなくなり、スマホ又はカメラが取り出すことができる。
【００１７】
本発明の有益な効果は、本発明は構成が簡単で、操作が便利であり、挟み機構によって自撮り棒がスマホ又はカメラを自動的に制御して挟むことができ、人が力を出す必要はなく、挟みブロックが吸盤と協働することによって、スマホ又はカメラをよりきつく挟むことができ、調節機構によって、挟みヘッドは押しボタンの制御の下で挟みヘッドの角度の調節を自動的に行うことができ、手持ち機構の中には信号発射器を設置して撮影の角度を制御調節し、自撮り棒には補助用の手持ち棒を設置することによって、手持ち棒の強度が強められ、自撮り棒が角度を調節できる三脚架に変えられることができ、撮影に便利で、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。